(57)【要約】【課題】動物の治療において、複数種類の薬剤を分けて保存し、使用直前にそれらを混合して用いる場合における、投薬を簡便化する。【解決手段】動物用投薬容器は、第１収容室５と、第２収容室４と、分離壁６と、細管３とを具備する。第１収容室５は、第１開口部９を有し、第１薬剤を収容可能である。第２収容室４は、第２開口部７を有し、第２薬剤を収容可能であり、可撓性を有する。分離壁６は、第１収容室５と第２収容室４とを隔てる。細管３は、一端を第２開口部７に接続され、他端８を開放されている。分離壁６は、他端８が密閉され第２収容室４が可撓変形されることで破損される。【選択図】図１
2010063737.tif 000002
【特許請求の範囲】
【請求項１】
第１開口部を有し、第１薬剤を収容可能な第１収容室と、
第２開口部を有し、第２薬剤を収容可能であり、可撓性を有する第２収容室と、
前記第１収容室と前記第２収容室とを隔てる分離壁と、
一端を前記第２開口部に接続され、他端に第３開口部を有する細管と
を具備し、
前記分離壁は、前記第３開口部が密閉され前記第２収容室が可撓変形されることで破損される
動物用投薬容器。
【請求項２】
請求項１に記載の動物用投薬容器において、
前記第１収容室は、前記第１開口部を密閉可能な第１閉止部を備え、
前記細管は、前記第３開口部を密閉可能な第２閉止部を備える
動物用投薬容器。
【請求項３】
請求項１又は２に記載の動物用投薬容器において、
前記細管の長さは、前記第１薬剤と前記第２薬剤とが混合された薬剤を投与される動物に対応して設定される
動物用投薬容器。
【請求項４】
請求項１乃至３のいずれか一項に記載の動物用投薬容器において、
前記第１収容室は、前記第１薬剤を収容し、前記第１開口部を密閉され、
前記第２収容室は、前記第２薬剤を収容し、
前記細管は、前記第３開口部を密閉される
動物用投薬容器。
【請求項５】
請求項４に記載の動物用投薬容器において、
前記第１薬剤と前記第２薬剤とは、前記第２収容室が可撓変形されることで前記分離壁が破損されて混合され、
前記第１薬剤と前記第２薬剤とが混合された薬剤は、前記第３開口部の密閉が解除されることで、前記第３開口部から送出される
動物用投薬容器。
【請求項６】
動物用投薬容器を提供するステップと、
ここで、動物用投薬容器は、
第１開口部を有し、第１薬剤を収容可能な第１収容室と、
第２開口部を有し、第２薬剤を収容可能であり、可撓性を有する第２収容室と、
前記第１収容室と前記第２収容室とを隔てる分離壁と、
一端を前記第２開口部に接続され、他端に第３開口部を有する細管と
を備え、
前記分離壁は、前記第３開口部が密閉され前記第２収容室が可撓変形されることで破損され、
前記第１薬剤を前記第１収容室に収容して、前記第１開口部を密閉するステップと、
前記第２薬剤を前記第２収容室に収容して、前記第３開口部を密閉するステップと
を具備する
動物用投薬容器の使用方法。
【請求項７】
請求項６に記載の動物用投薬容器の使用方法において、
前記第２収容室を可撓変形して前記分離壁を破損し、前記第１薬剤と前記第２薬剤とを混合するステップと、
前記第３開口部の密閉を解除して、前記第１薬剤と前記第２薬剤とが混合された薬剤を前記第３開口部から送出するステップと
を更に具備する
動物用投薬容器の使用方法。
【請求項８】
請求項６又は７に記載の動物用投薬容器の使用方法において、
前記細管の長さは、前記第１薬剤と前記第２薬剤とが混合された薬剤を投与される動物に対応して設定される
動物用投薬容器の使用方法。
【発明の詳細な説明】
【技術分野】
【０００１】
本発明は、動物用投薬容器及び動物用投薬容器の使用方法に関し、特に複数の薬剤を混合する動物用投薬容器及び動物用投薬容器の使用方法に関する。
【背景技術】
【０００２】
近年、人間の生活において犬や猫のようなペット（動物）の重要性が高まっている。それに伴い、ペットの健康を末永く維持する要求が高まっている。ペットの健康を維持するためには、獣医師による治療が必要な場合がある。その治療では、獣医師の直接の治療だけでなく、その後に定期的な投薬を行うことが一般的である。投薬には、ペットオーナーが直接手で飲ませる場合も有るが、投薬用の機器を用いる場合もある。
【０００３】
ペット（動物）用の投薬容器としては、以下のものが知られている。例えば、株式会社インターズー（ＵＲＬ：ｈｔｔｐ：／／ｗｗｗ．ｉｎｔｅｒｚｏｏ−ｐｅｔ．ｃｏｍ／）製の投薬容器として、「ピルガン」が開示されている（ＵＲＬ：ｈｔｔｐ：／／ｗｗｗ．ｉｎｔｅｒｚｏｏ−ｐｅｔ．ｃｏｍ／Ｆｏｒｍ／Ｐｒｏｄｕｃｔ／ＰｒｏｄｕｃｔＤｅｔａｉｌ．ａｓｐｘ？ｓｈｏｐ＝０＆ｃａｔ＝００２＆ｓｗｒｄ＝＆ｐｉｄ＝１６−０８９２６＆ｖｉｄ＝）。この「ピルガン」は、小動物や猫、犬のようなペット用のシリンジである。ピルガンは、筒状部分と、筒状部分の端部に接続された細管部分と、筒状部分に挿入されるピストン部分とを有している。投薬時には、筒状部分が液状の薬剤を保持し、細管の先端がペットの咽頭部近傍へ差し込まれる。そして、ピストンが筒状部分に挿入されて行くことにより、細管へ薬剤が流入し、最終的に、その細管の先から薬剤がペットに投与される。このピルガンは、液状の薬剤を投与するために使用される。
【０００４】
また、例えば、株式会社津川洋行（ＵＲＬ：ｈｔｔｐ：／／ｗｗｗ．ｔｇｗ．ｃｏ．ｊｐ／）製の錠剤投薬器として、「インプッター」が開示されている（例えば、ｈｔｔｐｓ：／／ｓｈｏｐ２．ｇｅｎｅｓｉｓ−ｅｃ．ｃｏｍ／ｓｅａｒｃｈ／ｉｔｅｍ．ａｓｐ？ｓｈｏｐｃｄ＝１７２０６＆ｉｔｅｍ＝３４９６）。この「インプッター」は、ペット用の棒状の投薬器である。インプッターは、筒状部分と、筒状部分の端部に筒状に設けられた保持部と、筒状部分に挿入される棒状部分とを有している。投薬時には、保持部がカプセル（又は錠剤）を保持し、保持部がペットの咽頭部近傍へ差し込まれる。そして、棒状部分が筒状部分に挿入されることにより、棒状部分の先端が保持部のカプセルを外側へ押し出し、最終的に、保持部の先からカプセルがペットに投与される。このインプッターは、固形の薬剤を投与するために使用される。
【０００５】
これらの機器は、液状の薬剤及び固形の薬剤のうちのいずれか一方を投与するために用いられる。しかし、薬剤によっては、使用直前に２種類の薬剤を混合してから使用されるものがある。これは、予め混合して保存しておくと、保存が困難になったり、薬剤の特性が変化したりすることによる。そのため、このような場合、２種類の薬剤を、それぞれ別の容器等に分けて保存し、使用直前に混合して用いることになる。ただし、２種類の薬剤を別の容器等に分けて保存することや、別の容器の薬剤を使用直前に取り出して混合し、投薬することは手間がかかるため、ペットオーナー等には負担である。
【０００６】
保存するときには複数種類の薬剤を隔離し、使用するときにはそれら複数種類の薬剤を混合することが可能な人間用の薬剤用の容器が知られている。例えば、特開平１１−１９８９７４号公報に用時調製型薬液容器が開示されている。この用時調製型薬液容器は、ボトル状容器と、袋状容器を含んでなる。ボトル状容器は、容易に取り外し可能な密閉手段によって閉鎖された口部を有し、容易に押圧変形が可能である。袋状容器は、該ボトル状容器の基端部の外周に該基端部外周を被覆するように溶着され、柔軟である。前記ボトル状容器の内部空間を含む第１薬剤収容室と前記袋状容器の内部空間を含む第２薬剤収容室が容易に剥離可能な分離壁によって流体密に区画されている。該分離壁を剥離したときに第１薬剤収容室と第２薬剤収容室が液体連通するようにされている。これらは、例えば点眼用、点耳用、点鼻用に用いられる。
【０００７】
また、特開平１１−１３０１５６号公報に二種混合容器及び二種混合容器連結体が開示されている。この二種混合容器は、第１の容器本体と、第２の容器本体と、分離壁とを具備する。第１の容器本体は、第一剤が収納されている。第２の容器本体は、可撓変形可能であると共に、第二剤が収納されている。分離壁は、前記第１の容器本体と第２の容器本体とを画成すると共に、前記第２の容器本体を可撓変形することに起因して破壊される。これらは、例えば、頭髪を染色する染料や化粧水などに用いられる。
【０００８】
【特許文献１】特開平１１−１９８９７４号公報
【特許文献２】特開平１１−１３０１５６号公報
【非特許文献１】ｈｔｔｐ：／／ｗｗｗ．ｉｎｔｅｒｚｏｏ−ｐｅｔ．ｃｏｍ／Ｆｏｒｍ／Ｐｒｏｄｕｃｔ／ＰｒｏｄｕｃｔＤｅｔａｉｌ．ａｓｐｘ？ｓｈｏｐ＝０＆ｃａｔ＝００２＆ｓｗｒｄ＝＆ｐｉｄ＝１６−０８９２６＆ｖｉｄ＝
【非特許文献２】ｈｔｔｐｓ：／／ｓｈｏｐ２．ｇｅｎｅｓｉｓ−ｅｃ．ｃｏｍ／ｓｅａｒｃｈ／ｉｔｅｍ．ａｓｐ？ｓｈｏｐｃｄ＝１７２０６＆ｉｔｅｍ＝３４９６
【発明の開示】
【発明が解決しようとする課題】
【０００９】
医療におけるコンプライアンスが求められている。ここで医療における「コンプライアンス」とは、患者が医師や薬剤師から指示された治療法を、指示通りにきちんと守って実行する「服薬遵守」を意味している。特に、動物医療におけるコンプライアンスとは、獣医師が指示したとおりにきちんと動物に薬剤を飲ませるようにすることである。すなわち、決められた量・時間・期間を守って確実に投与する「投薬遵守」を意味している。
【００１０】
しかし、現在、動物（ペット）の治療において重要な要素となるコンプライアンス（投薬遵守）は、必ずしも守られているとはいえないと考えられている。守られない原因として、主に以下の理由が考えられている。（１）物理的な理由：動物の抵抗、ペットオーナーの技量不足、投薬回数の多さ、など。（２）予測不可能な理由：投薬忘れ、依頼者の投薬忘れ、帰宅時間の遅れ、など。（３）自己判断による理由：見た目に回復したようなのでペットオーナーの自己判断で中止、副作用が心配でペットオーナーの自己判断で用量調整、ペットオーナーの自己判断で何かのために取っておくために中止、など。
【００１１】
このように、コンプライアンス不良の理由はいろいろあるが、投薬方法の複雑さも一つの原因と考えられる。特に、２種類の薬剤を別の容器等に分けて保存し、使用直前に混合して用いる場合には、既述のように手間がかかり、ペットオーナー等には負担である。上述の特開平１１−１９８９７４号公報や特開平１１−１３０１５６号公報に記載の技術は、人間用に考え出されたものである。そのため、それらの技術を動物（ペット）の治療に利用しようとしても、必ずしも適しているとは言えず、ペットオーナー等の負担は依然として残る。動物（ペット）の治療において、複数種類の薬剤を分けて保存し、使用直前にそれらを混合して用いる場合における、投薬の簡便化が望まれる。動物（ペット）の治療におけるコンプライアンス向上が求められる。
【００１２】
本発明の目的は、動物（ペット）の治療におけるコンプライアンスを向上させることが可能な動物用投薬容器及び動物用投薬容器の使用方法を提供することにある。本発明の他の目的は、動物（ペット）の治療において、複数種類の薬剤を分けて保存し、使用直前にそれらを混合して用いる場合における、投薬を簡便化することが可能な動物用投薬容器及び動物用投薬容器の使用方法を提供することにある。
【００１３】
この発明のこれらの目的とそれ以外の目的と利益とは以下の説明と添付図面とによって容易に確認することができる。
【課題を解決するための手段】
【００１４】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１５】
本発明の動物用投薬容器は、第１収容室（５）と、第２収容室（４）と、分離壁（６）と、細管（３）とを具備する。第１収容室（５）は、第１開口部（９）を有し、第１薬剤（２２）を収容可能である。第２収容室（４）は、第２開口部（７）を有し、第２薬剤（２１）を収容可能であり、可撓性を有する。分離壁（６）は、第１収容室（５）と第２収容室（４）とを隔てる。細管（３）は、一端を第２開口部（７）に接続され、他端に第３開口部（８）を有している。分離壁（６）は、第３開口部（８）が密閉され第２収容室（４）が可撓変形されることで破損される。
【００１６】
上記の動物用投薬容器において、第１収容室（５）は、第１開口部（９）を密閉可能な第１閉止部（１２）を備えることが好ましい。細管（３）は、第３開口部（８）を密閉可能な第２閉止部（１１）を備えることが好ましい。
【００１７】
上記の動物用投薬容器において、細管（３）の長さは、第１薬剤（２２）と第２薬剤（２１）とが混合された薬剤（２３）を投与される動物（２０）に対応して設定されることが好ましい。
【００１８】
上記の動物用投薬容器において、第１収容室（５）は、第１薬剤（２１）を収容し、第１開口部（９）を密閉されることが好ましい。第２収容室（４）は、第２薬剤（２２）を収容することが好ましい。細管（３）は、第３開口部（８）を密閉されることが好ましい。
【００１９】
上記の動物用投薬容器において、第１薬剤（２２）と第２薬剤（２１）とは、第２収容室（４）が可撓変形されることで分離壁（６）が破損されて混合されることが好ましい。第１薬剤（２２）と第２薬剤（２１）とが混合された薬剤（２３）は、第３開口部（８）の密閉が解除されることで、第３開口部（８）から送出されることが好ましい。
【００２０】
本発明の動物用投薬容器の使用方法は、動物用投薬容器（１）を提供するステップを具備する。ここで、動物用投薬容器（１）は、第１収容室（５）と、第２収容室（４）と、分離壁（６）と、細管（３）とを具備する。第１収容室（５）は、第１開口部（９）を有し、第１薬剤（２２）を収容可能である。第２収容室（４）は、第２開口部（７）を有し、第２薬剤（２１）を収容可能であり、可撓性を有する。分離壁（６）は、第１収容室（５）と第２収容室（４）とを隔てる。細管（３）は、一端を第２開口部（７）に接続され、他端に第３開口部（８）を有している。分離壁（６）は、第３開口部（８）が密閉され第２収容室（４）が可撓変形されることで破損される。本発明の動物用投薬容器の使用方法は、更に、第１薬剤（２２）を第１収容室（５）に収容して、第１開口部（９）を密閉するステップと、第２薬剤（２１）を第２収容室（４）に収容して、第３開口部（８）を密閉するステップとを具備する。
【００２１】
上記の動物用投薬容器の使用方法において、第２収容室（４）を可撓変形して分離壁（６）を破損し、第１薬剤（２２）と第２薬剤（２１）とを混合するステップと、第３開口部（８）の密閉を解除して、第１薬剤（２２）と第２薬剤（２１）とが混合された薬剤（２３）を第３開口部（８）から送出するステップとを更に具備することが好ましい。
【００２２】
上記の動物用投薬容器の使用方法において、細管（３）の長さは、第１薬剤（２２）と第２薬剤（２１）とが混合された薬剤（２３）を投与される動物に対応して設定されることが好ましい。
【発明の効果】
【００２３】
本発明により、動物（ペット）の治療におけるコンプライアンスを向上させることが可能となる。本発明により、動物（ペット）の治療において、複数種類の薬剤を分けて保存し、使用直前にそれらを混合して用いる場合における、投薬を簡便化することが可能となる。
【発明を実施するための最良の形態】
【００２４】
以下、本発明の実施の形態に係る動物用投薬容器及び動物用投薬容器の使用方法に関して、添付図面を参照して説明する。
【００２５】
まず、本発明の実施の形態に係る動物用投薬容器について、図１〜図３を参照して説明する。図１は、本発明の実施の形態に係る動物用投薬容器の構成を示す概略断面図である。この動物用投薬容器（Ａｎｉｍａｌ  Ａｄｍｉｎｉｓｔｅｒｉｎｇ  Ｃｏｎｔａｉｎｅｒ）１は、収容室５と、収容室４と、分離壁６と、細管３とを具備している。ただし、本図は、薬剤を収納する前段階での動物用投薬容器１を示している。
【００２６】
収容室５は、薬剤（薬剤２２：後述）を収容可能な部屋である。収容室５は、一方の端部に開口部９を備え、例えば略円筒形状を有している。開口部９は、薬剤を挿入（充填）するために設けられ、薬剤を収容する前の状態において開口され、薬剤を収容した後の状態において閉塞される。他方の端部は収容室４と接続されている。収容室４とは、分離壁６で隔てられている。収容部５の大きさ（例示：円筒の場合の長さＤ３及び直径φ３）は、収容される薬剤の容量に対応させて設定する。
【００２７】
収容室４は、薬剤（薬剤２１：後述）を収納可能な部屋である。収容室４は可撓性を有している。人が指などで挟んで収容室４を変形させて収容室４内に圧力をかけ易くするためである。収容室４は、一方の端部に開口部７を備え、例えば略回転楕円体形状を有している。ただし、回転楕円体は、楕円を、短軸を中心に一回転させたときに生じる立体（扁球）である。そして、開口部７は、細管３を介して、薬剤（２１）を挿入（充填）又は収容室４、５で混合された薬剤（薬剤２３：後述）を送出（投薬）するために設けられている。他方の端部は収容室５と接続されている。収容室５とは、分離壁６で隔てられている。収容部４の大きさ（例示：扁球の場合の長軸の長さＤ２及び短軸の長さφ２）は、収容される薬剤の容量に対応させて設定する。
【００２８】
分離壁６は、収容室５と収容室４との接続部分に設けられた薄膜状の壁である。分離壁６は、一方の室にある薬剤が他方の室へ浸入（侵入）しないように、収容室５と収容室４とを隔てている。分離壁６は、投薬前までは、収容室５と収容室４とを隔て、収容室５の薬剤と収容室４の薬剤とが混合されないようにしている。分離壁６は、投薬時に、後述されるように、細管の開口部８が密閉され収容室４が可撓変形され、収容室４の内圧が高まることで破損する。
【００２９】
細管３は、一端を開口部７に接続され、他端を開放されている（開口部８となっている）。細管３は、例えば、略円筒細管形状を有している。開口部８は、薬剤（２１）を収容室４へ挿入（充填）又は収容室４、５で混合された薬剤（２３）を送出（投薬）するために設けられている。薬剤を挿入する前の状態において開口され、薬剤を挿入した後の状態において閉塞され、薬剤の混合後に対象動物に当該薬剤を投与する段階において再び開口される。
【００３０】
細管３は、薬剤を投与される対象動物（犬、猫、豚、牛、馬等）の口より咽頭部近傍に向けて、口の横より挿入し易くするために、ある程度の長さを持たせる。このとき、長さＤ１が長過ぎたり直径φ１が細過ぎたりすると事前に収容室４へ薬剤を収容するのが困難となる一方、長さＤ１が短過ぎると対象動物へ投薬が困難になるおそれがある。従って、長さＤ１や直径φ１は、対象動物（例示：種類、大きさ）に対応させて適切な値を設定することが好ましい。この長さＤ１を適切に設定することで、対象動物及びユーザーのいずれにも負担がかからずに、容易に対象動物に投薬することが可能となる。
【００３１】
動物用投薬容器１は、可撓性及び耐薬品性に優れた材料で形成されている。可撓性は、例えば、既述のように収容室４を変形させて収容室４内に圧力をかけるため、及び細管３を変形させながら対象動物の口内の所望の位置にその先端を持って行くため、などに必要である。耐薬品性は、内部に収容した薬剤、特に液体状の薬剤と反応して特性を変化させたり、強度が低下し孔や亀裂が生じたりすることを防止するために必要である。可撓性及び耐薬品性に優れた材料としては、例えば、樹脂である。樹脂としては、ポリプロピレン、ポリエチレン、フッ素樹脂、フェノール樹脂が例示される。特に、ポリプロピレンは、容器の製造が比較的容易で、可撓性、経済性及び耐薬品性のいずれにも優れ、より好ましい。
【００３２】
図２は、本発明の実施の形態に係る動物用投薬容器の構成を示す概略断面図である。ただし、図２は、薬剤を収納した後段階での動物用投薬容器１を示している。
【００３３】
図２に示されるように、動物用投薬容器１において、収容室５は開口部９を密閉可能な閉止部１２を備える。閉止部１２は、開口部９を覆うキャップに例示される。キャップ（閉止部１２）と収容室５とは、例えば、ネジ込み方式で互いに密着させ、確実な封印を行なわせることができる。すなわち、キャップ（閉止部１２）の内側に設けられたネジ（メネジ）と、収容室５の端部の外側に設けられたネジ（オネジ）とのネジ込みによる結合により密着させることができる。あるいは、キャップ（閉止部１２）と収容室５とは、例えば、接着方式で互いに密着させ、確実な封印を行なわせることができる。すなわち、キャップ（閉止部１２）の内側と、収容室５の端部の外側とを接着剤による結合により密着させることができる。これら密着方式は一例であり、本発明はこれらの方法に限定されるものではない。
【００３４】
収容室５は、開口部９を介して内部に薬剤２２を挿入された後、閉止部１２で開口部９を密閉される。薬剤２２は、例えば対象動物への投薬を目的とした薬剤であり、カプセルや錠剤のような固形の薬剤に例示される。ただし、この段階では、分離壁６は損傷されておらず、収容室５は他の領域から独立して密閉されて薬剤２２を収容している。なお、薬剤２２の量は、例えば、主に獣医師の処方により設定される。
【００３５】
また、細管３は開口部８を密閉可能な閉止部１１を備える。閉止部１１は、開口部８を覆うキャップに例示される。キャップ（閉止部１１）と細管３とは、例えば、ネジ込み方式で互いに密着させることができる。すなわち、キャップ（閉止部１１）の内側に設けられたネジ（メネジ）と、細管３の端部の外側に設けられたネジ（オネジ）とのネジ込みによる結合により密着させることができる。あるいは、キャップ（閉止部１１）と細管３とは、例えば、接着方式で互いに密着させることができる。すなわち、キャップ（閉止部１１）の内側と、細管３の端部の外側とを接着剤による結合により密着させることができる。
【００３６】
収容室４が開口部８及び細管３を介して内部に薬剤２１を挿入（注入）された後、細管３は閉止部１２で開口部８を密閉される。薬剤２１は、例えば、少なくとも所定の期間保存が可能であり、薬剤２２の薬理作用を損ねない液体状の溶媒である。既述のように、この段階では、分離壁６は損傷されておらず、収容室４及び細管３は他の領域から独立して密閉されて薬剤２１を収容している。なお、薬剤２１の量は、例えば、主に動物の大きさにより設定される。
【００３７】
図２の例では、開口部８、９は、それぞれネジ込み方式又は接着方式を用いた閉止部１１、１２により閉塞されていた。しかし、本発明はこの例に限定されるものではない。その他の例を示すのが図３である。図３は、本発明の実施の形態に係る動物用投薬容器の他の構成を示す概略断面図である。ただし、図３は、薬剤を収納した後の段階での動物用投薬容器１を示している。
【００３８】
図３に示されるように、この動物用投薬器１は、基本的に図２の場合と同じである。ただし、図２と異なる密封の方式で開口部８、９を密封する閉止部１５、１６を用いている点で、図３の動物用投薬器１は図２のそれと異なっている。すなわち、図３の場合では、開口部８を熱溶着（熱融着）した閉止部１５により、細管３の開口部８を密閉している。同様に、開口部９を熱溶着（熱融着）した閉止部１６により、開口部９を密閉している。この方式では、各開口部を溶かして密着させているので、簡便な方法でありながら、密閉性が高いという利点がある。
【００３９】
次に、本発明の実施の形態に係る動物用投薬容器の使用方法について図１、図２、図４〜図７を参照して説明する。ただし、図４〜図６は、本発明の実施の形態の動物用投薬容器の使用方法を示す概略断面図である。図７は、本発明の実施の形態の動物用投薬容器の使用方法を示す概略図である。ただし、ここでは図２に示されるような閉止部１１、１２（ネジ込み方式）を用いた例について説明する。
【００４０】
まず、獣医師や、薬剤師や、ペットオーナーのようなユーザー（以下、ユーザー等という）は、図１に示されるような動物用投薬容器１を準備する。この段階では、薬剤は全く収容していない。
次に、図２に示されるように、ユーザー等は、動物用投薬容器１の収容室５に薬剤２２を収容する。そして、開口部９を閉止部１２で密閉する。続いて、動物用投薬容器１の収容室４に薬剤２１を収容する。そして、細管３の開口部８を閉止部１１で密閉する。たたし、収容室５への薬剤２２の収容及び閉止部１２による密閉と、収容室４への薬剤２１の収容及び閉止部１１による密閉とは、順番が逆であってもかまわない。また、各薬剤の収容及びその密閉は、事前に行っておく。ただし、投薬直前に行っても良い。
【００４１】
次に、図４に示されるように、ユーザー等は、動物（ペット）２０に投薬する時、まず、動物用投薬容器１の収容室４の中央部を例えば指で摘むなどで押圧を与え、収容室４を可撓変形させて分離壁６を破損させる。収容室４の外壁にある程度の押圧が加わり、その押圧により当該外壁が撓み収容室４の容積が減少することで収容室４内部の圧力が上昇し、その圧力に耐えられずに分離壁６が破裂する。その結果、薬剤２１の液体が収容室５へ浸入し、薬剤２１と薬剤２２とが混ざり合うことができる。その結果、図５に示されるように、収容室４及び収容室５において、薬剤２２と薬剤２１とが混合された薬剤２３が生成される。
【００４２】
その後、図６及び図７に示されるように、ユーザー等は、動物（ペット）に投薬するために、細管３の閉止部１１を取り外し、先端の密閉を解除する。取り外しは、例えば、ネジを緩めて閉止部１１を外す方式や、細管３の先端部をはさみ等で切断する方式を用いることができる。続いて、細管３を動物の口の横の部分から口の中へ挿入し、細管３の先端が咽頭部近傍に達するようにする。そして、収容部４を例えば手で握るなどで押圧を与え、収容部４、５の薬剤２３を、細管３を介してその先端から送出させ、動物の咽頭部近傍へ供給する（投薬する）。
【００４３】
なお、口の横から細管３を挿入するのは以下の理由による。対象動物は口及び鼻が概ね突出しているので、口の前方から細管３を挿入すると、咽頭部近傍に細管３の先端を到達させるには、細管３を非常に長くする必要があり、その先端の位置のコントロールが困難になる。一方、口の横から細管３を挿入すれば、咽頭部近傍に細管３の先端を到達させるのに必要な細管３の長さが短くなるので、その先端の位置のコントロールが容易になる。そのため、より効果的に投薬を行うことができると考えられる。また、細管３を口の横から咽頭部近傍へ向けて容易に曲がる構造を有していることが好ましい。それにより、より投薬を容易に行うことができる。例えば、細管３の途中に蛇腹状の部分を設けることで曲がった構造をそのまま維持させることができる。あるいは、予め細管３を緩やかに曲がる形状としても良い。これらの構造は、収容室４に薬剤２１を注入するときにも、収容室４から薬剤２３を送出するときにも、その妨げにならず、より投薬を容易に行うことができ好ましい。
【００４４】
以上のようにして、本発明の実施の形態に係る動物用投薬容器１を使用することができる。
【００４５】
上記実施の形態では、動物用投薬容器１を小動物のペットに使用する例を示している。しかし、本発明はその例に限定されるものではない。すなわち、本発明の動物用投薬容器１は、対象動物の頭部、特に口及びその内部構造に対応させて各部の大きさを適切に設定することにより、小動物から大動物までを対象にすることができる。その結果、動物の大きさに関わらず、対象動物に対する投薬を簡便化させることができる。すなわち、動物（ペット）の治療において、複数種類の薬剤を分けて保存し、使用直前にそれらを混合して用いる場合における、投薬を簡便化することが可能となる。それにより、動物（ペット）の治療におけるコンプライアンスを向上させることができる。
【００４６】
本発明は上記各実施の形態に限定されず、本発明の技術思想の範囲内において、各実施の形態は適宜変形又は変更され得ることは明らかである。
【図面の簡単な説明】
【００４７】
【図１】図１は、本発明の実施の形態に係る動物用投薬容器の構成を示す概略断面図である。
【図２】図２は、本発明の実施の形態に係る動物用投薬容器の構成を示す概略断面図である。
【図３】図３は、本発明の実施の形態に係る動物用投薬容器の他の構成を示す概略断面図である。
【図４】図４は、本発明の実施の形態の動物用投薬容器の使用方法を示す概略断面図である。
【図５】図５は、本発明の実施の形態の動物用投薬容器の使用方法を示す概略断面図である。
【図６】図６は、本発明の実施の形態の動物用投薬容器の使用方法を示す概略断面図である。
【図７】図７は、本発明の実施の形態の動物用投薬容器の使用方法を示す概略図である。
【符号の説明】
【００４８】
１    動物用投薬容器
３    細管
４    収容室
５    収容室
６    分離壁
７、８、９    開口部
１１、１２、１５、１６    閉止部
２０    動物（ペット）
２１、２２、２３    薬剤
【図１】
2010063737.tif 000003
【図２】
2010063737.tif 000004
【図３】
2010063737.tif 000005
【図４】
2010063737.tif 000006
【図５】
2010063737.tif 000007
【図６】
2010063737.tif 000008
【図７】
2010063737.tif 000009